(57)【要約】【課題】付加された画像データについて、誤読・誤認のおそれを排除できる波形測定器を実現すること。【解決手段】コメントやマーキングの手書き入力機能を有する波形測定器において、  測定波形の画像データを格納する第１の格納手段と、前記画像データに関連した付加画像データを格納する第２の格納手段と、これら測定波形の画像データと付加画像データが合成された合成画像データを格納する第３の格納手段、を設けたことを特徴とするもの。【選択図】                    図１
2011191162.tif 000002
【特許請求の範囲】
【請求項１】
コメントやマーキングの手書き入力機能を有する波形測定器において、
測定波形の画像データを格納する第１の格納手段と、
前記画像データに関連した付加画像データを格納する第２の格納手段と、
これら測定波形の画像データと付加画像データが合成された合成画像データを格納する第３の格納手段、
を設けたことを特徴とする波形測定器。
【請求項２】
前記画像データに関連した付加画像データに含まれる文字記号をテキストデータに変換する文字記号認識手段を設けたことを特徴とする請求項１に記載の波形測定器。
【請求項３】
前記手書き入力機能は、前記測定波形を表示する表示画面上に重ね合わされたタッチパネルスクリーンであることを特徴とする請求項１または請求項２に記載の波形測定器。
【請求項４】
前記タッチパネルスクリーンは、前記表示画面上の一部に設けられていることを特徴とする請求項３に記載の波形測定器。
【請求項５】
前記手書き入力機能は、前記表示画面から分離されたタブレットであることを特徴とする請求項１または請求項２に記載の波形測定器。
【発明の詳細な説明】
【技術分野】
【０００１】
本発明は、波形測定器に関し、詳しくは、コメントやマーキングの手書き入力機能を有する波形測定器に関するものである。
【０００２】
波形測定器の一種であるデジタルオシロスコープには、特許文献１に記載されているように、観測中の波形に対するコメントやマーキングなどの入力操作を、表示画面上に重ね合わせられたタッチスクリーンパネル上で行うように構成されたものがある。
【０００３】
図６はこのような従来の波形測定器の一例を示す構成説明図であり、図７は図６に示した装置における画像データ処理の概念図である。図６および図７において、表示画面１の表面には、たとえばゲーム機で使用されている抵抗膜方式のアナログ形タッチスクリーンパネル２が設けられている。
【０００４】
オペレータは、表示画面１に表示される測定波形を監視しながら、タッチペン３を用いて、測定波形に関連した測定条件などの文字記号によるコメント４や、表示波形の注目部分を明示するための線分によるマーキング５などを行う。
【０００５】
表示画面１に表示される測定波形の画像データＡとタッチスクリーンパネル２上でタッチペン３により入力される画像データＢは後処理により画像データＣとして合成され、合成された画像データＣは画像データメモリ６の合成画像データメモリ６１に格納される。
【０００６】
このような構成において、合成画像データメモリ６１に格納される合成画像データＣには、測定波形の画像データＡに関連したコメント４やマーキング５などの画像データＢが付加されているので、これら付加された画像データＢを参照することにより、目的とする所望の画像データＡを間違えることなく合成画像データメモリ６１から的確に読み出して識別できる。なお、合成画像データＣは、本体の上部に設けられている内蔵プリンタ７で必要に応じてプリント出力される。
【先行技術文献】
【特許文献】
【０００７】
【特許文献１】特開２００２−８２１３３号公報
【発明の概要】
【発明が解決しようとする課題】
【０００８】
しかし、従来の装置では、文字や線をタッチペンなどで手書き入力しているため、文字が判読しにくかったり、測定波形が見えにくくなってしまったりすることがある。
【０００９】
また、測定波形の画像データと付加された画像データとの合成画像データを測定結果の正式文書として発行するのにあたり、付加された画像データに誤読・誤認してしまうような手書きの図や文字が入っていると、そのままでは正式文書としては使用できない場合がある。
【００１０】
本発明は、このような問題点を解決するものであり、その目的は、付加された画像データについて、誤読・誤認のおそれを排除できる波形測定器を実現することにある。
【課題を解決するための手段】
【００１１】
上記目的を達成するために、本発明のうち請求項１に記載の発明は、
コメントやマーキングの手書き入力機能を有する波形測定器において、
測定波形の画像データを格納する第１の格納手段と、
前記画像データに関連した付加画像データを格納する第２の格納手段と、
これら測定波形の画像データと付加画像データが合成された合成画像データを格納する第３の格納手段、
を設けたことを特徴とする。
【００１２】
請求項２記載の発明は、請求項１に記載の波形測定器において、
前記画像データに関連した付加画像データに含まれる文字記号をテキストデータに変換する文字記号認識手段を設けたことを特徴とする。
【００１３】
請求項３記載の発明は、請求項１または請求項２に記載の波形測定器において、
前記手書き入力機能は、前記測定波形を表示する表示画面上に重ね合わされたタッチパネルスクリーンであることを特徴とする。
【００１４】
請求項４記載の発明は、請求項３に記載の波形測定器において、
前記タッチパネルスクリーンは、前記表示画面上の一部に設けられていることを特徴とする。
【００１５】
請求項５記載の発明は、請求項１または請求項２に記載の波形測定器において、
前記手書き入力機能は、前記表示画面から分離されたタブレットであることを特徴とする。
【発明の効果】
【００１６】
これらにより、コメントやマーキングの手書き入力機能を有する波形測定器において、測定波形画像データ、付加画像データおよび合成画像データを見やすい状態で保存でき、付加画像データの誤読・誤認を防止できる。
【図面の簡単な説明】
【００１７】
【図１】本発明の一実施例を示す構成説明図である。
【図２】本発明における画像データ処理の概念図である。
【図３】本発明における他の画像データ処理の概念図である。
【図４】本発明における文字記号認識処理の流れを示すフローチャートである。
【図５】本発明の他の実施例を示す構成説明図である。
【図６】従来の波形測定器の一例を示す構成説明図である。
【図７】図６に示した装置における画像データ処理の概念図である。
【発明を実施するための最良の形態】
【００１８】
以下、図面を参照して、本発明を詳細に説明する。図１は本発明の一実施例を示す構成説明図であり、図６と共通する部分には同一の符号を付けている。図１と図６との相違点は、画像データメモリ６の構成にある。
【００１９】
すなわち、図１の画像データメモリ６には、合成画像データＣを格納する合成画像データメモリ６１の他に、測定波形の画像データＡを格納する波形画像データメモリ６２と、付加された画像データＢを格納する付加画像データメモリ６３が設けられている。
【００２０】
図２は、本発明における画像データ処理の概念図である。図２において、表示画面１に表示される測定波形の画像データＡは、後処理により合成画像データＣとして合成されるとともに、独立した測定波形画像データＡとして出力されて波形画像データメモリ６２に格納される。
【００２１】
また、タッチスクリーンパネル２上でタッチペン３により入力される画像データＢも、後処理により画像データＣとして合成されるとともに、独立した追加画像データＢとして出力されて追加画像データメモリ６３に格納される。
【００２２】
これら３種類の画像データは、従来と同様な「プリント」などのボタン操作を１回行うことによりファイル化され、それぞれ所定のメモリに格納される。
【００２３】
このように、３種類の画像データが、それぞれ識別可能なデータとして所定のメモリに個別に格納されることで、正式文書の発行などに使用できるきれいなデータとしても保存することが可能となる。そして、正式文書を発行する場合と、それ以外のまとめ用あるいは確認用として画像データを分けることもでき、従来の構成に比べて画像データの利便性は大幅に向上する。
【００２４】
図３は本発明における他の画像データ処理の概念図であり、図２と共通する部分には同一の符号を付けている。図３において、文字記号認識部８は、追加画像データＢに含まれる文字記号を抽出してテキストデータに変換する機能を有するものである。このテキストデータ変換出力は、合成画像データＣとして合成されるとともに、追加テキストデータメモリ６４に格納される。
【００２５】
図４は、図３の文字記号認識処理の流れを示すフローチャートである。タッチスクリーンパネル２上でタッチペン３により入力される追加画像データＢとしての文字記号パターンは、文字記号認識部８でテキストデータに変換され、変換されたテキストデータは表示画面１の一部分に表示される。これにより、文字記号認識処理の誤りがあった場合は再度タッチスクリーンパネル２上で入力することにより訂正できる。
【００２６】
表示画面１で正しいテキストデータに変換されたことが確認できた場合には、テキストデータは画像合成部９に入力されるとともに、追加テキストデータメモリ６４に格納される。画像合成部９において、波形画像データＡとテキストデータが合成されて合成画像データＣが生成され、合成画像データＣは合成画像データメモリ６１に格納される。
【００２７】
追加画像データＢに含まれる文字記号をテキストデータに変換する文字記号認識部を設けることにより、手書きに起因する誤読や誤認を防止できる。
【００２８】
図５も本発明の他の実施例を示す構成説明図であり、（Ａ）は表示画面１の下辺部分にのみタッチスクリーンパネル２を重ね合わせた例を示し、（Ｂ）は表示画面１とは別の部分にタッチスクリーンパネル２を重ね合わせた例を示している。これらの構成によれば、表示画面１の全面にタッチスクリーンパネル２を重ね合わせる場合よりも安価に構成できる。
【００２９】
なお、コメントやマーキングの手書き入力手段は、タッチスクリーンパネルに限るものではなく、波形測定器に着脱できるタブレットであってもよい。
【００３０】
また、波形測定器はデジタルオシロスコープに限るものではなく、たとえば波形監視機能を有する電力測定器やアナログ入力信号の時系列的な変化をトレンド記録表示するレコーダなどであってもよい。
【００３１】
以上説明したように、本発明によれば、コメントやマーキングの手書き入力機能を有する波形測定器において、測定波形画像データ、付加画像データおよび合成画像データを見やすい状態で保存でき、付加画像データの誤読・誤認を防止できる波形測定器が実現できる。
【符号の説明】
【００３２】
１  表示画面
２  タッチスクリーンパネル
３  タッチペン
４  コメント
５  マーキング
６  画像データメモリ
６１  合成画像データメモリ
６２  波形画像データメモリ
６３  付加画像データメモリ
７  内蔵プリンタ
８  文字記号認識部
【図１】
2011191162.tif 000003
【図２】
2011191162.tif 000004
【図３】
2011191162.tif 000005
【図４】
2011191162.tif 000006
【図５】
2011191162.tif 000007
【図６】
2011191162.tif 000008
【図７】
2011191162.tif 000009